(57)【特許請求の範囲】
【請求項１】
楽曲が記憶された３つ以上の携帯型楽曲再生装置が接続可能とされ、接続された前記携帯型楽曲再生装置に記憶された楽曲を再生可能とされた楽曲再生装置であって、
接続された３つ以上の前記携帯型楽曲再生装置の中からユーザが指定したいずれか１つの携帯型楽曲再生装置を選択する装置選択手段と、
この装置選択手段によって前記１つの携帯型楽曲再生装置が選択された際に、選択された前記１つの携帯型楽曲再生装置に記憶された楽曲を表示対象としたリストであって、表示対象を所定の分類方法にしたがって当該分類方法に対応する分類項目ごとに分類した状態で表示するためのリストを作成するリスト作成手段と、
このリスト作成手段によって作成された前記リストを表示部に表示するリスト表示手段と、
このリスト表示手段によって表示された前記リストに示される楽曲を再生可能とされた再生手段と
を備え、
前記リスト作成手段は、前記リストを作成する際に、前記接続された３つ以上の携帯型楽曲再生装置のうちの前記１つの携帯型楽曲再生装置と異なる他の２つ以上の携帯型楽曲再生装置の中から、前記１つの携帯型楽曲再生装置に記憶された楽曲以外の楽曲のみを抽出し、抽出された当該楽曲を前記リストによる表示対象として前記リストに追加するとともに、抽出された当該楽曲が前記他の２つ以上の携帯型楽曲再生装置において重複する場合には、当該楽曲を記憶しているすべての他の携帯型楽曲再生装置に対応するアイコンの表示または予め設定された優先順位にしたがったいずれか１つの他の携帯型楽曲再生装置に対応するアイコンの表示を行うこと
を特徴とする楽曲再生装置。
【請求項２】
前記リスト作成手段は、前記リストを作成する際に、前記リストに追加された前記楽曲が前記他の２つ以上の携帯型楽曲再生装置に記憶された楽曲であることを判別するための判別情報を前記リストに付加し、
前記リスト表示手段は、前記判別情報が付加された状態の前記リストを表示すること
を特徴とする請求項１に記載の楽曲再生装置。
【請求項３】
前記判別情報は、前記他の２つ以上の携帯型楽曲再生装置に対応するアイコンであること
を特徴とする請求項２に記載の楽曲再生装置。
【請求項４】
前記リスト作成手段は、前記１つの携帯型楽曲再生装置が選択された際に、前記１つの携帯型楽曲再生装置に記憶された楽曲を表示対象としたリストであって、表示対象を所定の複数の分類方法にしたがって当該各分類方法に対応する分類項目ごとにそれぞれ分類した状態で表示するための複数のリストを同時に作成するとともに、前記他の２つ以上の携帯型楽曲再生装置の中から抽出された前記１つの携帯型楽曲再生装置に記憶された楽曲以外の楽曲を、前記複数のリストのそれぞれによる表示対象として各リストに追加するように形成され、
前記複数の分類方法の中からユーザが指定した１つの分類方法を選択する分類方法選択手段を備え、
前記リスト表示手段は、前記リスト作成手段によって作成された前記複数のリストのうちの前記分類方法選択手段によって選択された１つの分類方法に対応する前記リストを表示すること
を特徴とする請求項１乃至請求項３のいずれか１項に記載の楽曲再生装置。
【請求項５】
前記分類方法は、前記分類項目としてのアーティストごとに前記楽曲を分類する分類方法、前記分類項目としてのジャンルごとに前記楽曲を分類する分類方法または前記分類項目としての年代ごとに前記楽曲を分類する分類方法を含むこと
を特徴とする請求項１乃至請求項４のいずれか１項に記載の楽曲再生装置。
【発明の詳細な説明】
【技術分野】
【０００１】
本発明は、楽曲再生装置に係り、特に、複数の携帯型楽曲再生装置に記憶された楽曲を再生するのに好適な楽曲再生装置に関する。
【背景技術】
【０００２】
従来から、車載機には、ｉＰｏｄ（登録商標）や携帯電話機等の携帯型オーディオデバイスを接続して、接続された携帯型オーディオデバイスに記憶された楽曲を再生することが可能であった。
【０００３】
現行品の一例としては、図５に示すように、ｉＰｏｄ１と携帯電話機２とを１つずつ接続可能とされた車載機３があるが、将来的には、複数のｉＰｏｄの接続に対応した車載機が実施されることも予想される。
【０００４】
このような複数の携帯型オーディオデバイスが接続された車載機においては、表示部に表示した操作画面上で各携帯型オーディオデバイスのいずれか１つを選択させ、選択された携帯型オーディオデバイスに記憶された楽曲のリストを新たに表示部に表示した上で、表示されたリストの中からユーザが選曲した所望の楽曲を携帯型オーディオデバイスから読み出してスピーカを介して再生することが可能とされていた。
【先行技術文献】
【特許文献】
【０００５】
【特許文献１】特開２００６−２８７３７９号公報
【発明の概要】
【発明が解決しようとする課題】
【０００６】
しかしながら、従来は、車載機に接続された複数の携帯型オーディオデバイスのうちの選択された１つの携帯型オーディオデバイスに記憶された楽曲のリストのみを表示していたため、再生すべき楽曲を検索する際に、携帯型オーディオデバイスの選択の切り替えを要する場合があるといった問題が生じていた。
【０００７】
そこで、本発明は、このような問題点に鑑みなされたものであり、再生すべき楽曲を検索する際の手間を省くことによって操作性を向上させることができる楽曲再生装置を提供することを目的とするものである。
【課題を解決するための手段】
【０００８】
前述した目的を達成するため、本発明に係る楽曲再生装置は、楽曲が記憶された３つ以上の携帯型楽曲再生装置が接続可能とされ、接続された前記携帯型楽曲再生装置に記憶された楽曲を再生可能とされた楽曲再生装置であって、接続された３つ以上の前記携帯型楽曲再生装置の中からユーザが指定したいずれか１つの携帯型楽曲再生装置を選択する装置選択手段と、この装置選択手段によって前記１つの携帯型楽曲再生装置が選択された際に、選択された前記１つの携帯型楽曲再生装置に記憶された楽曲を表示対象としたリストであって、表示対象を所定の分類方法にしたがって当該分類方法に対応する分類項目ごとに分類した状態で表示するためのリストを作成するリスト作成手段と、このリスト作成手段によって作成された前記リストを表示部に表示するリスト表示手段と、このリスト表示手段によって表示された前記リストに示される楽曲を再生可能とされた再生手段とを備え、前記リスト作成手段は、前記リストを作成する際に、前記接続された３つ以上の携帯型楽曲再生装置のうちの前記１つの携帯型楽曲再生装置と異なる他の２つ以上の携帯型楽曲再生装置の中から、前記１つの携帯型楽曲再生装置に記憶された楽曲以外の楽曲のみを抽出し、抽出された当該楽曲を前記リストによる表示対象として前記リストに追加するとともに、抽出された当該楽曲が前記他の２つ以上の携帯型楽曲再生装置において重複する場合には、当該楽曲を記憶しているすべての他の携帯型楽曲再生装置に対応するアイコンの表示または予め設定された優先順位にしたがったいずれか１つの他の携帯型楽曲再生装置に対応するアイコンの表示を行うことを特徴としている。
【０００９】
そして、このような構成によれば、リスト作成手段により、装置選択手段によって選択された携帯型楽曲再生装置に記憶された楽曲を表示対象としたリストを作成する際に、他の２つ以上の携帯型楽曲再生装置に記憶された楽曲のみをリストによる表示対象に追加することによって、追加された楽曲も再生手段による再生対象とすることができるとともに重複のない再生対象となるので、再生すべき楽曲を検索する際の手間を省くことができ、操作性を向上させることができ、しかも抽出された当該楽曲が前記他の２つ以上の携帯型楽曲再生装置において重複する場合には、当該楽曲を記憶しているすべての他の携帯型楽曲再生装置に対応するアイコンの表示または予め設定された優先順位にしたがったいずれか１つの他の携帯型楽曲再生装置に対応するアイコンの表示を行うので、抽出された当該楽曲と当該楽曲を記憶している携帯型楽曲再生装置との組み合わせを選択して再生対象とすることができ、利用者の好みに対応した再生を実行することができる。
【００１０】
また、前記リスト作成手段は、前記リストを作成する際に、前記リストに追加された前記楽曲が前記他の２つ以上の携帯型楽曲再生装置に記憶された楽曲であることを判別するための判別情報を前記リストに付加し、前記リスト表示手段は、前記判別情報が付加された状態の前記リストを表示してもよい。
【００１１】
そして、このような構成によれば、判別情報に基づいて、リストに追加された楽曲を、この楽曲が記憶された携帯型楽曲再生装置とともに容易に判別することができるので、利便性を向上させることができる。
【００１２】
さらに、前記判別情報は、前記他の２つ以上の帯型楽曲再生装置に対応するアイコンであってもよい。
【００１３】
そして、このような構成によれば、アイコンに基づいて、リストに追加された楽曲と、この楽曲が記憶された携帯型楽曲再生装置とを更に容易に把握することができる。
【００１４】
さらにまた、前記リスト作成手段は、前記１つの携帯型楽曲再生装置が選択された際に、前記１つの携帯型楽曲再生装置に記憶された楽曲を表示対象としたリストであって、表示対象を所定の複数の分類方法にしたがって当該各分類方法に対応する分類項目ごとにそれぞれ分類した状態で表示するための複数のリストを同時に作成するとともに、前記他の２つ以上の携帯型楽曲再生装置の中から抽出された前記１つの携帯型楽曲再生装置に記憶された楽曲以外の楽曲を、前記複数のリストのそれぞれによる表示対象として各リストに追加するように形成され、前記複数の分類方法の中からユーザが指定した１つの分類方法を選択する分類方法選択手段を備え、前記リスト表示手段は、前記リスト作成手段によって作成された前記複数のリストのうちの前記分類方法選択手段によって選択された１つの分類方法に対応する前記リストを表示してもよい。
【００１５】
そして、このような構成によれば、装置選択手段によって１つの携帯型楽曲再生装置が選択された際に、リスト作成手段によって、当該選択された１の携帯型楽曲再生装置に記憶された楽曲を表示対象とした複数の分類方法にしたがった複数のリストを同時に作成しておき、作成された複数のリストのうち、分類方法選択手段によって選択された分類方法に対応するリストをリスト表示手段によって表示することができるので、ユーザの所望の分類方法に応じたリストを迅速に表示することができる。
【００１６】
また、前記分類方法は、前記分類項目としてのアーティストごとに前記楽曲を分類する分類方法、前記分類項目としてのジャンルごとに前記楽曲を分類する分類方法または前記分類項目としての年代ごとに前記楽曲を分類する分類方法を含んでもよい。
【００１７】
そして、このような構成によれば、ユーザの嗜好に合致する楽曲であるか否かを判断し易いリストを表示することができるので、利便性を向上させることができる。
【発明の効果】
【００１８】
本発明によれば、再生すべき楽曲を検索する際の手間を省くことによって操作性を向上させることができる。
【図面の簡単な説明】
【００１９】
【図１】本発明に係る楽曲再生装置の実施形態を示すブロック図
【図２】本発明に係る楽曲再生装置の実施形態において、オーディオデバイスに記憶されている楽曲情報を楽曲付加情報とともに示す概念図
【図３】本発明に係る楽曲再生装置の実施形態において、第１の具体例を説明するための説明図
【図４】本発明に係る楽曲再生装置の実施形態において、第２の具体例を説明するための説明図
【図５】車載機へのオーディオデバイスの接続状態を示す模式図
【発明を実施するための形態】
【００２０】
以下、本発明に係る楽曲再生装置の実施の形態について、図１乃至図４を参照して説明する。
【００２１】
図１に示すように、本実施形態における楽曲再生装置５は、大別して、楽曲再生ユニット６と、この楽曲再生ユニット６にそれぞれ接続された操作部７、表示部としてのディスプレイ８およびスピーカ１０とによって構成されている。
【００２２】
なお、操作部７は、リモコン、ディスプレイ８のタッチパネル、メカニカルスイッチ、ロータリエンコーダ、リニアエンコーダまたは音声入力用のマイク等であってもよい。
【００２３】
また、図１に示すように、楽曲再生装置５には、複数の携帯型楽曲再生装置としての携帯型の第１のオーディオデバイス１１および第２のオーディオデバイス１２が、ＵＳＢ等の有線またはbluetooth等の無線による接続手段によってそれぞれ接続されている。これら第１のオーディオデバイス１１および第２のオーディオデバイス１２は、携帯電話機であってもよいし、また、ｉＰｏｄ等のポータブルメディアプレーヤであってもよい。
【００２４】
ここで、第１のオーディオデバイス１１および第２のオーディオデバイス１２には、ＭＰ３（MPEG Audio Layer-3）、ＷＭＡ（Windows Media Audio登録商標）またはＡＡＣ（Advanced Audio Coding）等のオーディオ圧縮形式で圧縮された複数の楽曲情報（オーディオデータ）が記憶されている。図２に示すように、各楽曲情報は、楽曲のタイトル（曲名）、アーティスト、ジャンルおよび年代等の楽曲情報に付加された楽曲付加情報と対応付けられた状態で各オーディオデバイス１１，１２の記憶部に記憶されている。なお、楽曲付加情報は、例えば、ＩＤ３タグ等であってもよい。また、年代は、楽曲の作成年代であってもよく、また、楽曲のリリースや初演がなされた年代であってもよい。
【００２５】
そして、本実施形態における楽曲再生装置５は、このようにして第１のオーディオデバイス１１および第２のオーディオデバイス１２にそれぞれ記憶された楽曲を再生可能とされている。
【００２６】
そのためのより具体的な構成として、楽曲再生ユニット６の構成について更に説明すると、図１に示すように、楽曲再生ユニット６は、第１のオーディオインターフェース（Ｉ／Ｆ）１４を有しており、この第１のオーディオインターフェース１４には、第１のオーディオデバイス１１が接続されている。
【００２７】
また、図１に示すように、楽曲再生ユニット６は、第２のオーディオインターフェース（Ｉ／Ｆ）１５を有しており、この第２のオーディオインターフェース１５には、第２のオーディオデバイス１２が接続されている。
【００２８】
これら第１のオーディオインターフェース１４および第２のオーディオインターフェース１５は、公知の圧縮オーディオデコーダ等によって構成することができる。
【００２９】
さらに、図１に示すように、楽曲再生ユニット６は、ユーザインターフェース（Ｉ／Ｆ）１６を有しており、このユーザインターフェース１６には、操作部７が接続されている。このユーザインターフェース１６は、ＡＤＣ（analog to digital converter）等によって構成することができる。
【００３０】
さらにまた、図１に示すように、楽曲再生ユニット６は、ビデオインターフェース（Ｉ／Ｆ）１７を有しており、このビデオインターフェース１７には、ディスプレイ８が接続されている。このビデオインターフェース１７は、ＤＡＣ（digital to analog converter）等によって構成することができる。
【００３１】
また、図１に示すように、楽曲再生ユニット６は、第３のオーディオインターフェース１８を有しており、この第３のオーディオインターフェース１８には、スピーカ１０が接続されている。この第３のオーディオインターフェース１８は、ＤＡＣ等によって構成することができる。
【００３２】
さらに、図１に示すように、楽曲再生ユニット６は、デバイス認識処理部１９を有している。このデバイス認識処理部１９は、楽曲再生装置５が起動されている状態において、オーディオインターフェース１４，１５を介してオーディオデバイス１１，１２との間で何らかの電気信号の授受が成立したこと（換言すれば、通信状態が確立したこと）等に基づいて、楽曲再生装置５にオーディオデバイス１１，１２が接続されたと認識するようになっている。
【００３３】
さらにまた、図１に示すように、楽曲再生ユニット６は、デバイス選択画面表示処理部２０を有している。このデバイス選択画面表示処理部２０は、デバイス認識処理部１９の認識結果に応じたデバイス選択画面を作成し、作成されたデバイス選択画面をビデオインターフェース１７を介してディスプレイ８に表示するようになっている。ただし、デバイス選択画面とは、楽曲再生装置５に接続されているオーディオデバイスの中からいずれか１つのオーディオデバイスを選択（指定）するための操作部７を用いた入力操作が可能とされた操作画面のことをいう。図１の場合には、デバイス選択画面は、デバイス認識処理部１９によって接続が認識された第１のオーディオデバイス１１または第２のオーディオデバイス１２のうちのいずれか１つを選択可能な操作画面となる。
【００３４】
また、図１に示すように、楽曲再生ユニット６は、装置選択手段としてのデバイス選択処理部２１を有している。このデバイス選択処理部２１には、デバイス選択画面に対する操作部７の操作結果が、ユーザインターフェース１６を介して入力されるようになっている。そして、デバイス選択処理部２１は、楽曲再生装置５に接続された各オーディオデバイス１１，１２のうち、入力された操作結果に対応したオーディオデバイス１１，１２を選択するようになっている。
【００３５】
さらに、図１に示すように、楽曲再生ユニット６は、リスト作成手段としてのリスト作成処理部２３と、楽曲付加情報読込処理部２４とを有している。ここで、リスト作成処理部２３には、デバイス選択処理部２１の選択結果が入力されるようになっている。そして、リスト作成処理部２３は、入力されたデバイス選択処理部２１の選択結果に基づいて、当該選択結果が示す１つのオーディオデバイス（以下、選択デバイスと称する）１１，１２から楽曲付加情報を読み込むための第１の付加情報読込指令を、楽曲付加情報読込処理部２４に出力するようになっている。この第１の付加情報読込指令を受けて、楽曲付加情報読込処理部２４は、選択デバイス１１，１２から楽曲付加情報を読み込み、読み込まれた楽曲付加情報をリスト作成処理部２３に出力するようになっている。そして、リスト作成処理部２３は、楽曲付加情報読込処理部２４から出力された楽曲付加情報に基づいて、選択デバイス１１，１２に記憶された楽曲を表示対象としたリストを作成し、作成されたリストを保持するようになっている。このとき、リスト作成処理部２３は、表示対象を予め設定された複数の分類方法にしたがって当該各分類方法にそれぞれ対応する分類項目ごとに分類した状態で表示するための複数のリストを同時に作成するようになっている。また、その際に、リスト作成処理部２３は、複数のリストとして、当該各リストに示される楽曲の全部または一部の再生を指示するための操作部７を用いた入力操作が可能とされた操作画面の機能を持ったリストを作成するようになっている。なお、これら複数のリストに対応する複数の分類方法は、分類項目としてのアーティストごとに楽曲を分類する分類方法、分類項目としてのジャンルごとに楽曲を分類する分類方法および分類項目としての楽曲の年代ごとに楽曲を分類する分類方法であってもよい。また、リストの作成に際しては、楽曲付加情報のうちの楽曲を一義的に特定することができるとみなされる楽曲に固有の情報（例えば、楽曲のタイトル）をリスト項目とし、このリスト項目を、これに対応する他の楽曲付加情報（例えば、アーティスト、ジャンルまたは年代）に基づいて、分類方法にしたがって分類項目ごとに分類した状態で配列させればよい。また、このとき、分類項目単位でのリスト項目の配列順は、例えば、５０音順等であってもよい。
【００３６】
さらにまた、本実施形態において、リスト作成処理部２３は、リストを作成する際に、楽曲再生装置５に接続されたオーディオデバイス１１，１２のうちの選択デバイス１１，１２と異なる他のオーディオデバイス（以下、非選択デバイスと称する）１１，１２の中から、選択デバイス１１，１２に記憶された楽曲以外の楽曲すなわち非選択デバイス１１，１２のみに記憶された楽曲を抽出するようになっている。具体的には、リスト作成処理部２３は、第１の付加情報読込指令を楽曲付加情報読込処理部２４に出力する際に、選択デバイス１１，１２に記憶された楽曲以外の楽曲についての楽曲付加情報すなわち選択デバイス１１，１２に記憶された楽曲付加情報とは異なる楽曲付加情報を非選択デバイス１１，１２から読み込むための第２の付加情報読込指令を、楽曲付加情報読込処理部２４に出力する。そして、この第２の付加情報読込指令を受けて、楽曲付加情報読込処理部２４は、非選択デバイス１１，１２から、当該楽曲付加情報を読み込み、読み込まれた当該楽曲付加情報をリスト作成処理部２３に出力する。このようにして、非選択デバイス１１，１２の中から、選択デバイス１１，１２に記憶された楽曲以外の楽曲が、この楽曲に対応する楽曲付加情報として抽出される。
【００３７】
そして、リスト作成処理部２３は、このようにして非選択デバイス１１，１２の中から抽出された選択デバイス１１，１２に記憶された楽曲以外の楽曲を、複数のリストによる表示対象として各リストにそれぞれ追加するようになっている。具体的には、リスト作成処理部２３は、例えば、非選択デバイス１１，１２から読み込まれた楽曲付加情報のうちの楽曲を一義的に特定することができるとみなされる楽曲に固有の情報（例えば、楽曲のタイトル）をリスト項目とし、このリスト項目を、これに対応する他の楽曲付加情報（例えば、アーティスト、ジャンルまたは年代）に基づいて、複数のリストにおける該当する各分類項目にそれぞれ追加する。
【００３８】
また、本実施形態において、リスト作成処理部２３は、非選択デバイス１１，１２から抽出された楽曲を複数のリストにそれぞれ追加する際に、各リストに追加された楽曲が非選択デバイス１１，１２に記憶された楽曲であることを判別するための判別情報として、非選択デバイス１１，１２に対応するアイコンを各リストにそれぞれ追加するようになっている。なお、アイコンは、予め第１のオーディオインターフェース１４および第２のオーディオインターフェース１５ごとに割り振られた互いに異なる外観のアイコンであって、各インターフェース１４，１５にそれぞれ接続可能なものとして予め設定されているオーディオデバイスを示すアイコンであってもよい。
【００３９】
さらに、図１に示すように、楽曲再生ユニット６は、分類方法選択画面表示処理部２２を有している。この分類方法選択画面表示処理部２２には、デバイス選択処理部２１の選択結果が入力されるようになっている。そして、分類方法選択画面表示処理部２２は、デバイス選択処理部２１の選択結果の入力を受けて、分類方法選択画面を作成し、作成された分類方法選択画面をビデオインターフェース１７を介してディスプレイ８に表示するようになっている。ただし、分類方法選択画面とは、リスト作成処理部２３によって作成される複数のリストに対応する予め設定された複数の楽曲の分類方法の中からいずれか１つの分類方法を選択（指定）するための操作部７を用いた入力操作が可能とされた操作画面のことである。この分類方法選択画面は、換言すれば、複数のリストの中から表示すべき１つのリストを選択するための操作画面ということができる。
【００４０】
さらにまた、図１に示すように、楽曲再生ユニット６は、リスト表示手段としてのリスト表示処理部２５と、分類方法選択手段としての分類方法選択処理部２６とを有している。ここで、分類方法選択処理部２６には、操作部７から、分類方法選択画面表示処理部２２によって表示された分類方法選択画面に対する操作結果が入力されるようになっている。この操作結果の入力を受けて、分類方法選択処理部２６は、当該操作結果にしたがった分類方法を選択し、選択結果をリスト作成処理部２３に出力するようになっている。この選択結果を受けて、リスト作成処理部２３は、作成された複数のリストのうちの当該選択結果に対応した１つのリストをリスト表示処理部２５に出力するようになっている。そして、リスト表示処理部２５は、リスト作成処理部２３から出力された１つのリストを、ビデオインターフェース１７を介してディスプレイ８に表示するようになっている。このとき、リストに追加された楽曲に該当するリスト項目については、非選択デバイス１１，１２に対応するアイコンが付加された表示態様で表示されるようになっている。
【００４１】
また、図１に示すように、楽曲再生ユニット６は、再生手段としての再生処理部２７と、再生指令処理部２８と、楽曲読込処理部２９とを有している。ここで、再生処理部２７には、リスト作成処理部２３から、リスト表示処理部２５によって表示される１つのリストが入力されるようになっている。また、再生指令処理部２８には、リスト表示処理部２５によって表示されたリストに対する当該リストに示される楽曲の再生を指示するための操作部７の操作結果が、ユーザインターフェース１６を介して入力されるようになっている。この再生を指示するための操作は、リストに示される楽曲の全部の再生を指示するための入力操作であってもよく、または、リストに示される楽曲の一部の再生を指示するための入力操作であってもよい。また、当該リストに示される楽曲の一部の再生を指示するための入力操作は、所望のリスト項目をカーソル指定する操作、所望のリスト項目にチェックを入れる操作または所望のリスト項目をプレイリストとして登録する（絞り込む）操作等であってもよい。このような再生を指示するための操作を受けて、再生指令処理部２８は、当該操作によって指定された楽曲の再生を指示する再生指令を再生処理部２７に出力するようになっている。この再生指令を受けて、再生処理部２７は、当該再生指令に応じた楽曲を読み込むための楽曲読込指令を楽曲読込処理部２９に出力するようになっている。この楽曲読込指令を受けて、楽読込処理部２９は、当該楽曲読込指令に応じた楽曲情報（オーディオデータ）を選択デバイス１１，１２または非選択デバイス１１，１２もしくはこれらの双方から読み込み、読み込まれた楽曲情報を再生処理部２７に出力するようになっている。このとき、楽曲読込処理部２９は、再生指令に応じた再生順（例えば、リスト上における配列順）にしたがって、楽曲情報を逐次読み込めばよい。そして、再生処理部２７は、楽曲読込処理部２７から出力された楽曲情報を、第３のオーディオインターフェース１８を介してスピーカ１０から音声出力することによって、楽曲の再生を行うようになっている。
【００４２】
なお、楽曲再生ユニット６の各処理部１９〜２９は、例えば、ＣＰＵ、ＣＰＵに内蔵または外付けのメモリおよびＣＰＵが実行する実行プログラム等によって構成することができる。
【００４３】
（第１の具体例）
次に、本実施形態のより具体的な動作の一例として、第１の具体例について説明する。
【００４４】
本具体例においては、まず、図３のステップ１（ＳＴ１）に示すように、楽曲再生装置５に第１のオーディオデバイス１１および第２のオーディオデバイス１２をそれぞれ接続する。このとき、これら各オーディオデバイス１１，１２が接続されたことは、デバイス認識処理部１９によって認識される。なお、図３に示すように、本具体例において、第１のオーディオデバイス１１には、「アーティスト甲」の楽曲として、「タイトルＡ」、「タイトルＢ」および「タイトルＣ」の各楽曲が、「アーティスト乙」の楽曲として、「タイトルａ」および「タイトルｂ」の各楽曲が、「アーティスト丙」の楽曲として、「タイトルα」の楽曲が、それぞれ記憶されている。また、本具体例において、第２のオーディオデバイス１２には、「アーティスト甲」の楽曲として、「タイトルＡ」、「タイトルＤ」および「タイトルＥ」の各楽曲が、「アーティスト乙」の楽曲として、「タイトルｂ」および「タイトルｃ」の各楽曲が、「アーティスト丁」の楽曲として、「タイトル１」の楽曲が、それぞれ記憶されている。
【００４５】
そして、ステップ１（ＳＴ１）において、例えば、楽曲再生ユニット６によってディスプレイ８に表示された図示しないメニュー画面（デバイス選択画面よりも上層の操作画面であればよい）に対して、オーディオデバイス１１，１２に記憶されている楽曲の再生に移行するための操作部７を用いた入力操作が行われると、ステップ２（ＳＴ２）に進む。
【００４６】
ステップ２（ＳＴ２）においては、図３に示すように、デバイス選択画面表示処理部２０により、デバイス選択画面３１をディスプレイ８に表示する。ステップ２（ＳＴ２）に示すように、デバイス選択画面３１は、第１のオーディオデバイス１１を選択するための第１の操作ボタン３２と、第２のオーディオデバイス１２を選択するための第２の操作ボタン３３とが含まれている。
【００４７】
そして、ステップ２（ＳＴ２）において、操作部７を用いた第１の操作ボタン３２の選択操作が行われると、デバイス選択処理部２１によって第１のオーディオデバイス１１が選択された上でステップ３（ＳＴ３）に進む。
【００４８】
ステップ３（ＳＴ３）においては、図３に示すように、分類方法選択画面表示処理部２２により、分類方法選択画面３４をディスプレイ８に表示する。ステップ３（ＳＴ３）に示すように、分類方法選択画面３４には、楽曲をアーティストごとに分類することを選択するためのアーティスト選択ボタン３５と、楽曲をジャンルごとに分類することを選択するためのジャンル選択ボタン３６と、楽曲を作成年代ごとに選択するための年代選択ボタン３７とが含まれている。
【００４９】
なお、ステップ２（ＳＴ２）からステップ３（ＳＴ３）に進む際には、ステップ４（ＳＴ４）に示すように、リスト作成処理部２３によって、アーティスト選択ボタン３５に対応するリスト（以下、アーティストリストと称する）と、ジャンル選択ボタン３６に対応するリスト（以下、ジャンルリストと称する）と、年代選択ボタン３７に対応するリスト（以下、年代リストと称する）とを、分類方法選択画面３４の表示処理に対するバックグラウンド処理として互いに同時に作成しておく。
【００５０】
そして、ステップ３（ＳＴ３）において、操作部７を用いてアーティスト選択ボタン３５の操作が行われるとステップ５（ＳＴ５）に進み、ジャンル選択ボタン３６の操作が行われるとステップ６（ＳＴ６）に進み、年代選択ボタン３７の操作が行われるとステップ６（ＳＴ６）に進む。
【００５１】
次いで、ステップ５（ＳＴ５）においては、図３に示すように、リスト表示処理部２５により、ステップ４（ＳＴ４）において作成されたアーティストリスト３８をディスプレイ８に表示する。図３に示すように、アーティストリスト３８は、リスト項目としての楽曲のタイトルが、アーティスト名ごとに分類された状態で配列されたリストとなっている。各リスト項目のうち、本具体例における非選択デバイスとしての第２のオーディオデバイス１２のみに記憶された楽曲のリスト項目については、第２のオーディオデバイス１２に対応するアイコン４１が付加されている。また、このようなアーティストリスト３８に対しては、リスト内の楽曲の全部または一部の再生を指示するための操作が可能となっている。
【００５２】
一方、ステップ６（ＳＴ６）においては、図３に示すように、リスト表示処理部２５により、ステップ４（ＳＴ４）において作成されたジャンルリスト３９をディスプレイ８に表示する。図３に示すように、ジャンルリスト３９は、リスト項目としての楽曲のタイトルが、ジャンルごとに分類された状態で配列されたリストとなっている。このジャンルリスト３９においても、第２のオーディオデバイス１２のみに記憶された楽曲のリスト項目については、第２のオーディオデバイス１２に対応するアイコン４１が付加されている。また、ジャンルリスト３９に対しても、リスト内の楽曲の全部または一部の再生を指示するための操作が可能となっている。
【００５３】
また、ステップ７（ＳＴ７）においては、図３に示すように、リスト表示処理部２５により、ステップ４（ＳＴ４）において作成された年代リスト４０をディスプレイ８に表示する。図３に示すように、年代リスト４０は、リスト項目としての楽曲のタイトルが、楽曲の年代（例えば、作成年代）ごとに分類された状態で配列されたリストとなっている。この年代リスト４０においても、第２のオーディオデバイス１２のみに記憶された楽曲のリスト項目については、第２のオーディオデバイス１２に対応するアイコン４１が付加されている。また、年代リスト４０に対しても、リスト内の楽曲の全部または一部の再生を指示するための操作が可能となっている。
【００５４】
（第２の具体例）
次に、本実施形態の第２の具体例について、第１の具体例との相違点に限定して説明する。
【００５５】
本具体例においては、図３のステップ２（ＳＴ２）において第２の操作ボタン３３を操作することによって、第２のオーディオデバイス１２を選択デバイスとして選択する。
【００５６】
そして、このような前提で、次工程の図３のステップ３（ＳＴ３）においてアーティスト選択ボタン３５の操作が行われると、図４のステップ１１（ＳＴ１１）に進み、ジャンル選択ボタン３６の操作が行われると、図４のステップ１２（ＳＴ１２）に進み、年代選択ボタン３７の操作が行われると、図４のステップ１３（ＳＴ１３）に進む。
【００５７】
次いで、図４のステップ１１（ＳＴ１１）においては、リスト表示処理部２５により、図３のステップ４（ＳＴ４）において作成されたアーティストリスト４３をディスプレイ８に表示する。図４に示すように、本具体例におけるアーティストリスト４３の第１の具体例におけるアーティストリスト３８に対する相違点は、各リスト項目のうち、本具体例における非選択デバイスとしての第１のオーディオデバイス１１のみに記憶された楽曲を示すリスト項目に、第１のオーディオデバイス１１に対応するアイコン４６が付加されている点にある。その他の画面構成は第１の具体例と同様である。
【００５８】
一方、図４のステップ１２（ＳＴ１２）においては、リスト表示処理部２５により、図３のステップ４（ＳＴ４）において作成されたジャンルリスト４４をディスプレイ８に表示する。図４に示すように、本具体例におけるジャンルリスト４４の第１の具体例におけるジャンルリスト３９に対する相違点は、各リスト項目のうち、第１のオーディオデバイス１１のみに記憶された楽曲を示すリスト項目に、第１のオーディオデバイス１１に対応するアイコン４６が付加されている点にある。その他の画面構成は第１の具体例と同様である。
【００５９】
また、図４のステップ１３（ＳＴ１３）においては、リスト表示処理部２５により、図３のステップ４（ＳＴ４）において作成された年代リスト４５をディスプレイ８に表示する。図４に示すように、本具体例における年代リスト４５の第１の具体例における年代リスト４０に対する相違点は、各リスト項目のうち、第１のオーディオデバイス１１のみに記憶された楽曲を示すリスト項目に、第１のオーディオデバイス１１に対応するアイコン４６が付加されている点にある。その他の画面構成は第１の具体例と同様である。
【００６０】
以上述べたように、本実施形態によれば、リスト作成処理部２３により、デバイス選択処理部２１によって選択された選択デバイスに記憶された楽曲を表示対象としたリストを作成する際に、非選択デバイスに記憶された楽曲をリストによる表示対象に追加することによって、追加された楽曲も再生処理部２７による再生対象とすることができる。この結果、再生すべき楽曲を検索する際の手間を省くことができ、操作性を向上させることができる。
【００６１】
なお、本発明は、前述した実施の形態に限定されるものではなく、本発明の特徴を損なわない限度において種々変更することができる。
【００６２】
例えば、楽曲再生装置５は、ナビゲーション装置と一体の構成として車載機に搭載されるものであってもよく、または、ホーム用のオーディオ機器であってもよい。
【００６３】
また、楽曲再生装置５が、携帯型オーディオデバイス以外のオーディオソース（例えば、ハードディスクドライブやＣＤ等）の楽曲を再生可能に構成されていてもよいことは勿論である。
【００６４】
さらに、本発明は、３つ以上の携帯型オーディオデバイスの接続にも有効に対応することができる。この場合には、選択デバイスに記憶されている楽曲を表示対象としたリストを作成する際に、２つ以上の非選択デバイスに記憶されている楽曲であって、選択デバイスに記憶されている楽曲以外の楽曲についても、リストの表示対象としてリストに追加すればよい。この場合、２つ以上の非選択デバイスの間で、記憶されている楽曲が重複する場合があるが、そのような場合には、リスト中の非選択デバイスに対応するリスト項目については、すべての非選択デバイスに対応するアイコンを表示してもよいし、予め設定された優先順位にしたがったいずれか１つの非選択デバイスに対応するアイコンを表示してもよい。
【符号の説明】
【００６５】
５  楽曲再生装置
８  ディスプレイ
２１  デバイス選択処理部
２３  リスト作成処理部
２５  リスト表示処理部
２７  再生処理部
【図１】
0005561853.tif 000002
【図２】
0005561853.tif 000003
【図３】
0005561853.tif 000004
【図４】
0005561853.tif 000005
【図５】
0005561853.tif 000006